(57)【要約】【課題】  画像の一覧表示画面において、編集元画像と編集済み画像との識別を容易にするとともに、編集元画像と編集済み画像との対応関係を判断することが容易な画像表示装置、画像表示方法及び画像表示プログラムを提供する。【解決手段】  撮影されたままで編集されていない画像については、サムネイル台座１０２上に、当該画像のサムネイル画像Ｔ１０が表示される。サムネイル画像Ｔ１０は、サムネイル台座１０２に収まる略最大のサイズで表示されている。一方、編集済み画像「DSCF0101.JPG」から「DSCF0104.JPG」については、サムネイル台座１０２上に、各編集済み画像のサムネイル画像（編集済みサムネイル）Ｔ２０とともに、それぞれを編集する前の画像（編集元画像）のサムネイル画像（編集元サムネイル）Ｔ２２が表示される。【選択図】      図２
2007325008.tif 000002
【特許請求の範囲】
【請求項１】
画像を記憶する記憶手段と、
前記画像を編集する画像編集手段と、
前記画像編集手段により編集された編集済み画像を前記記憶手段に記憶するときに、前記画像編集手段により編集される前の編集元画像の一覧表示用画像を前記編集済み画像と関連付けて前記記憶手段に記憶する記憶制御手段と、
前記記憶手段に記憶された画像を一覧表示する表示手段と、
前記記憶手段に記憶された編集済み画像を一覧表示するときに、前記一覧表示用画像を表示するための表示領域を画像ごとに前記表示手段に表示して該表示領域に一覧表示用画像を表示する手段であって、前記編集済み画像の表示領域には、該編集済み画像の一覧表示用画像とともに、前記編集元画像の一覧表示用画像を表示する表示制御手段と、
を備えることを特徴とする画像表示装置。
【請求項２】
前記表示制御手段は、前記編集元画像の一覧表示用画像を前記編集済み画像の一覧表示用画像と並べて又は重ねて表示することを特徴とする請求項１記載の画像表示装置。
【請求項３】
ユーザからの操作入力を受け付けて所望の表示領域を選択する選択手段を更に備え、
前記表示制御手段は、前記表示領域に表示された編集済み画像の一覧表示用画像が選択された場合には、前記編集済み画像を拡大表示又は編集するための画面を前記表示手段に表示する一方、前記表示領域に表示された編集元画像の一覧表示用画像が選択された場合には、前記編集済み画像を拡大表示又は編集するための画面を表示することを特徴とする請求項１又は２記載の画像表示装置。
【請求項４】
画像を記憶する記憶手段と、
前記画像を編集する画像編集手段と、
前記画像編集手段により編集された編集済み画像を前記記憶手段に記憶するときに、前記画像編集手段により編集される前の編集元画像の一覧表示用画像を前記編集済み画像と関連付けて前記記憶手段に記憶する記憶制御手段と、
前記記憶手段に記憶された画像を一覧表示する表示手段と、
前記記憶手段に記憶された編集済み画像を一覧表示するときに、前記編集元画像と前記編集済み画像の一覧表示用画像を所定時間おきに切り替えて表示する表示制御手段と、
を備えることを特徴とする画像表示装置。
【請求項５】
ユーザからの操作入力を受け付けて前記表示手段に一覧表示された一覧表示用画像を選択する選択手段とを更に備え、
前記表示制御手段は、前記選択手段により前記編集済み画像が選択された場合に、前記編集済み画像と編集元画像とを比較表示する比較表示画面を前記表示手段に表示する一方、前記選択手段により前記編集元画像が選択された場合に、前記編集元画像を編集するための編集画面を前記表示手段に表示することを特徴とする請求項４記載の画像表示装置。
【請求項６】
前記記憶手段に記憶された画像は、付加情報を書き込むための領域を有しており、
前記記憶制御手段は、前記編集元画像の一覧表示用画像を前記編集済み画像の付加情報として書き込むことを特徴とする請求項１から４のいずれか１項記載の画像表示装置。
【請求項７】
画像を記憶する記憶手段と、
前記画像を編集する画像編集手段と、
前記画像編集手段により編集された編集済み画像と、前記編集済み画像が前記画像編集手段により編集される前の編集元画像とを関連付けて前記記憶手段に記憶する記憶制御手段と、
前記記憶手段に記憶された画像を一覧表示する表示手段と、
ユーザからの操作入力を受け付けて前記表示手段に一覧表示された一覧表示用画像を選択する選択手段と、
前記選択手段により選択された一覧表示用画像が編集済み画像かどうかを判定する判定手段と、
前記選択手段により選択された一覧表示用画像が編集済み画像と判定された場合に、前記編集済み画像と編集元画像とを比較表示する比較表示画面を前記表示手段に表示する一方、前記選択手段により選択された一覧表示用画像が編集済み画像でないと判定された場合に、前記選択された一覧表示用画像に対応する画像を前記表示手段に拡大表示する表示制御手段と、
を備えることを特徴とする画像表示装置。
【請求項８】
前記記憶制御手段は、前記編集元画像を特定するための画像特定情報を前記編集済み画像と関連付けて記憶することを特徴とする請求項１から７のいずれか１項記載の画像表示装置。
【請求項９】
前記表示制御手段は、前記比較表示画面に、前記編集済み画像と編集元画像を並べて表示することを特徴とする請求項５又は８記載の画像表示装置。
【請求項１０】
前記表示制御手段は、前記比較表示画面に、前記編集済み画像と編集元画像の異なる部分を切り取ってつなぎ合わせて表示することを特徴とする請求項５又は８記載の画像表示装置。
【請求項１１】
画像を記憶手段に記憶する記憶工程と、
前記画像を編集する画像編集工程と、
前記編集された編集済み画像を前記記憶手段に記憶するときに、編集される前の編集元画像の一覧表示用画像を前記編集済み画像と関連付けて前記記憶手段に記憶する記憶制御工程と、
前記記憶手段に記憶された画像を表示手段に一覧表示する表示工程と、
前記記憶手段に記憶された編集済み画像を一覧表示するときに、前記一覧表示用画像を表示するための表示領域を画像ごとに前記表示工程に表示して該表示領域に一覧表示用画像を表示する工程であって、前記編集済み画像の表示領域には、該編集済み画像の一覧表示用画像とともに、前記編集元画像の一覧表示用画像を表示する表示制御工程と、
を備えることを特徴とする画像表示方法。
【請求項１２】
前記記憶手段に記憶された編集済み画像を一覧表示するときに、前記編集元画像の一覧表示用画像を前記編集済み画像の一覧表示用画像と並べて又は重ねて表示する工程を更に備えることを特徴とする請求項１１記載の画像表示方法。
【請求項１３】
ユーザからの操作入力を受け付けて所望の表示領域を選択する選択工程と、
前記表示領域に表示された編集済み画像の一覧表示用画像が選択された場合に、前記編集済み画像を拡大表示又は編集するための画面を前記表示工程に表示する工程と、
前記表示領域に表示された編集元画像の一覧表示用画像が選択された場合に、前記編集済み画像を拡大表示又は編集するための画面を表示する工程と、
を備えることを特徴とする請求項１１又は１２記載の画像表示方法。
【請求項１４】
画像を記憶手段に記憶する記憶工程と、
前記画像を編集する画像編集工程と、
前記編集された編集済み画像を前記記憶手段に記憶するときに、編集される前の編集元画像の一覧表示用画像を前記編集済み画像と関連付けて前記記憶手段に記憶する記憶制御工程と、
前記記憶手段に記憶された画像を表示手段に一覧表示する表示工程と、
前記記憶手段に記憶された編集済み画像を一覧表示するときに、前記編集元画像と前記編集済み画像の一覧表示用画像を所定時間おきに切り替えて表示する表示制御工程と、
を備えることを特徴とする画像表示方法。
【請求項１５】
ユーザからの操作入力を受け付けて前記表示工程に一覧表示された一覧表示用画像を選択する選択工程と、
前記編集済み画像が選択された場合に、前記編集済み画像と編集元画像とを比較表示する比較表示画面を前記表示工程に表示する工程と、
前記編集元画像が選択された場合に、前記編集元画像を編集するための編集画面を前記表示工程に表示する工程と、
を備えることを特徴とする請求項１４記載の画像表示方法。
【請求項１６】
画像を記憶手段に記憶する記憶工程と、
前記画像を編集する画像編集工程と、
前記編集された編集済み画像と、前記編集済み画像が編集される前の編集元画像とを関連付けて前記記憶手段に記憶する記憶制御工程と、
前記記憶手段に記憶された画像を表示手段に一覧表示する表示工程と、
ユーザからの操作入力を受け付けて前記表示工程に一覧表示された一覧表示用画像を選択する選択工程と、
前記選択された一覧表示用画像が編集済み画像かどうかを判定する判定工程と、
前記選択された一覧表示用画像が編集済み画像と判定された場合に、前記編集済み画像と編集元画像とを比較表示する比較表示画面を前記表示工程に表示する一方、前記選択された一覧表示用画像が編集済み画像でないと判定された場合に、前記選択された一覧表示用画像に対応する画像を前記表示工程に拡大表示する表示制御工程と、
を備えることを特徴とする画像表示方法。
【請求項１７】
画像を記憶手段に記憶する記憶機能と、
前記画像を編集する画像編集機能と、
前記編集された編集済み画像を前記記憶手段に記憶するときに、編集される前の編集元画像の一覧表示用画像を前記編集済み画像と関連付けて前記記憶手段に記憶する記憶制御機能と、
前記記憶手段に記憶された画像を表示手段に一覧表示する表示機能と、
前記記憶手段に記憶された編集済み画像を一覧表示するときに、前記一覧表示用画像を表示するための表示領域を画像ごとに前記表示機能に表示して該表示領域に一覧表示用画像を表示する機能であって、前記編集済み画像の表示領域には、該編集済み画像の一覧表示用画像とともに、前記編集元画像の一覧表示用画像を表示する表示制御機能と、
をコンピュータに実現させることを特徴とする画像表示プログラム。
【請求項１８】
前記記憶手段に記憶された編集済み画像を一覧表示するときに、前記編集元画像の一覧表示用画像を前記編集済み画像の一覧表示用画像と並べて又は重ねて表示する機能をコンピュータに実現させることを特徴とする請求項１７記載の画像表示プログラム。
【請求項１９】
ユーザからの操作入力を受け付けて所望の表示領域を選択する選択機能と、
前記表示領域に表示された編集済み画像の一覧表示用画像が選択された場合に、前記編集済み画像を拡大表示又は編集するための画面を前記表示機能に表示する機能と、
前記表示領域に表示された編集元画像の一覧表示用画像が選択された場合に、前記編集済み画像を拡大表示又は編集するための画面を表示する機能と、
をコンピュータに実現させることを特徴とする請求項１７又は１８記載の画像表示プログラム。
【請求項２０】
画像を記憶手段に記憶する記憶機能と、
前記画像を編集する画像編集機能と、
前記編集された編集済み画像を前記記憶手段に記憶するときに、編集される前の編集元画像の一覧表示用画像を前記編集済み画像と関連付けて前記記憶手段に記憶する記憶制御機能と、
前記記憶手段に記憶された画像を表示手段に一覧表示する表示機能と、
前記記憶手段に記憶された編集済み画像を一覧表示するときに、前記編集元画像と前記編集済み画像の一覧表示用画像を所定時間おきに切り替えて表示する表示制御機能と、
をコンピュータに実現させることを特徴とする画像表示プログラム。
【請求項２１】
ユーザからの操作入力を受け付けて前記表示機能に一覧表示された一覧表示用画像を選択する選択機能と、
前記編集済み画像が選択された場合に、前記編集済み画像と編集元画像とを比較表示する比較表示画面を前記表示機能に表示する機能と、
前記編集元画像が選択された場合に、前記編集元画像を編集するための編集画面を前記表示機能に表示する機能と、
をコンピュータに実現させることを特徴とする請求項２０記載の画像表示プログラム。
【請求項２２】
画像を記憶手段に記憶する記憶機能と、
前記画像を編集する画像編集機能と、
前記編集された編集済み画像と、前記編集済み画像が編集される前の編集元画像とを関連付けて前記記憶手段に記憶する記憶制御機能と、
前記記憶手段に記憶された画像を表示手段に一覧表示する表示機能と、
ユーザからの操作入力を受け付けて前記表示機能に一覧表示された一覧表示用画像を選択する選択機能と、
前記選択された一覧表示用画像が編集済み画像かどうかを判定する判定機能と、
前記選択された一覧表示用画像が編集済み画像と判定された場合に、前記編集済み画像と編集元画像とを比較表示する比較表示画面を前記表示機能に表示する一方、前記選択された一覧表示用画像が編集済み画像でないと判定された場合に、前記選択された一覧表示用画像に対応する画像を前記表示機能に拡大表示する表示制御機能と、
をコンピュータに実現させることを特徴とする画像表示プログラム。
【発明の詳細な説明】
【技術分野】
【０００１】
本発明は画像表示装置、画像表示方法及び画像表示プログラムに係り、特に画像を一覧表示する手段を備えた画像表示装置等に関する。
【背景技術】
【０００２】
従来、情報記憶媒体に記憶された画像を一覧表示する際に、各画像の近傍にピンマークを表示することで、各画像にサウンドが付加されているか否かを識別可能にした情報管理装置が提案されている（特許文献１）。
【０００３】
また、特許文献２には、サムネイル画像にドラッグ・アンド・ドロップを行うことにより、サムネイル画像に対応する静止画像又は動画像に与えるべき再生効果を指示し、指示された再生効果を示す再生効果画像（アイコン）をサムネイル画像に重畳させて表示させる画像表示装置が開示されている。
【０００４】
また、特許文献３には、編集元画像に対して行われた画像処理の種類を示す画像処理データを記憶し、縮小画像を一覧表示する際に、画像処理データを示すアイコンビットマップとともに縮小画像を表示する画像処理装置が開示されている。
【０００５】
また、特許文献４には、画像処理の実行ごとに、画像処理前の履歴画像を時系列に表示する履歴画像表示方法が開示されている。
【特許文献１】特開２０００−１４８７７５号公報（図６）
【特許文献２】特開２００１−６９４５６号公報（図１５）
【特許文献３】特開２００３−２０４５１０号公報（図２及び図５等）
【特許文献４】特開２００１−３４７７５号公報（図６等）
【発明の開示】
【発明が解決しようとする課題】
【０００６】
デジタルカメラにより撮影された画像に対して、撮影後に明るさやコントラストの変更等の画像編集を施して、元の画像（編集元画像）とは別の画像ファイル（編集済み画像）として保存することが行われている。この編集済み画像は、一般に、編集元画像と同じ記録装置内に保存される。従って、記録装置内の画像を一覧表示すると、同じような画像データが複数表示されるため、画像ファイルの管理上不便であった。例えば、ユーザが編集済み画像を見た後、編集元画像を編集する場合に、編集元画像を一覧表示用画像の中から探し出すのが容易ではなかった。即ち、画像の一覧表示において、編集元画像と編集済み画像とを識別したり、編集元画像と編集済み画像との対応関係を判断することが容易ではなかった。
【０００７】
特許文献１及び２に係る発明は、画像の一覧表示において、編集元画像と編集済み画像とを容易に識別可能にするものではなかった。
【０００８】
特許文献３に係る発明によれば、画像処理の種類を示すアイコンビットマップとともに一覧表示用画像を表示することにより、画像が編集済みであるかどうかを識別することができる。しかしながら、特許文献３では、一覧表示用画像の中から、編集済み画像の編集元の編集元画像を、ユーザが容易に探し出せるものではなかった。このため、編集済み画像と編集元画像を比較して、どこが編集されたかを確認したり、編集済み画像を更に編集する必要があるかどうかを判断するのが面倒であった。
【０００９】
また、特許文献４に係る発明によれば、画像処理の実行の履歴や編集元画像を確認することができる。しかしながら、特許文献４では、画像の一覧表示において、編集元画像と編集済み画像との対応関係を判断することが容易ではなかった。
【００１０】
本発明はこのような事情に鑑みてなされたもので、画像の一覧表示画面において、編集元画像と編集済み画像との識別を容易にするとともに、編集元画像と編集済み画像との対応関係を判断することが容易な画像表示装置、画像表示方法及び画像表示プログラムを提供することを目的とする。
【課題を解決するための手段】
【００１１】
上記課題を解決するために、本発明の請求項１に係る画像表示装置は、画像を記憶する記憶手段と、前記画像を編集する画像編集手段と、前記画像編集手段により編集された編集済み画像を前記記憶手段に記憶するときに、前記画像編集手段により編集される前の編集元画像の一覧表示用画像を前記編集済み画像と関連付けて前記記憶手段に記憶する記憶制御手段と、前記記憶手段に記憶された画像を一覧表示する表示手段と、前記記憶手段に記憶された編集済み画像を一覧表示するときに、前記一覧表示用画像を表示するための表示領域を画像ごとに前記表示手段に表示して該表示領域に一覧表示用画像を表示する手段であって、前記編集済み画像の表示領域には、該編集済み画像の一覧表示用画像とともに、前記編集元画像の一覧表示用画像を表示する表示制御手段とを備えることを特徴とする。
【００１２】
請求項１に係る発明によれば、編集済み画像の表示領域に、編集元画像の一覧表示用画像が一覧表示されるので、画像の一覧表示画面において、撮影されたままの状態の画像と編集済み画像とを識別したり、編集元画像と編集済み画像との対応関係を容易に判断することができる。
【００１３】
請求項２に係る発明は、請求項１の画像表示装置において、前記表示制御手段は、前記編集元画像の一覧表示用画像を前記編集済み画像の一覧表示用画像と並べて又は重ねて表示することを特徴とする。
【００１４】
請求項２は、表示領域内において、編集元画像と編集済み画像の一覧表示用画像を表示の態様を限定したものである。
【００１５】
請求項３に係る発明は、請求項１又は２の画像表示装置において、ユーザからの操作入力を受け付けて所望の表示領域を選択する選択手段を更に備え、前記表示制御手段は、前記表示領域に表示された編集済み画像の一覧表示用画像が選択された場合には、前記編集済み画像を拡大表示又は編集するための画面を前記表示手段に表示する一方、前記表示領域に表示された編集元画像の一覧表示用画像が選択された場合には、前記編集済み画像を拡大表示又は編集するための画面を表示することを特徴とする。
【００１６】
請求項３に係る発明によれば、編集済み画像の表示領域に表示された編集元画像の一覧表示用画像を用いて、編集元画像を拡大表示又は編集することができる。
【００１７】
請求項４に係る画像表示装置は、画像を記憶する記憶手段と、前記画像を編集する画像編集手段と、前記画像編集手段により編集された編集済み画像を前記記憶手段に記憶するときに、前記画像編集手段により編集される前の編集元画像の一覧表示用画像を前記編集済み画像と関連付けて前記記憶手段に記憶する記憶制御手段と、前記記憶手段に記憶された画像を一覧表示する表示手段と、前記記憶手段に記憶された編集済み画像を一覧表示するときに、前記編集元画像と前記編集済み画像の一覧表示用画像を所定時間おきに切り替えて表示する表示制御手段とを備えることを特徴とする。
【００１８】
請求項４に係る発明によれば、編集済み画像の一覧表示用画像と編集元画像の一覧表示用画像が交互に切り替わるので、画像の一覧表示画面において、撮影されたままの状態の画像と編集済み画像とを識別したり、編集元画像と編集済み画像との対応関係を容易に判断することができる。
【００１９】
請求項５に係る発明は、請求項４の画像表示装置において、ユーザからの操作入力を受け付けて前記表示手段に一覧表示された一覧表示用画像を選択する選択手段とを更に備え、前記表示制御手段は、前記選択手段により前記編集済み画像が選択された場合に、前記編集済み画像と編集元画像とを比較表示する比較表示画面を前記表示手段に表示する一方、前記選択手段により前記編集元画像が選択された場合に、前記編集元画像を編集するための編集画面を前記表示手段に表示することを特徴とする。
【００２０】
請求項５に係る発明によれば、一覧表示用画像を切替表示する場合に、一覧表示用画像の選択時に表示されている画像に応じて所望の処理を呼び出すことができる。
【００２１】
請求項６に係る発明は、請求項１から４の画像表示装置において、前記記憶手段に記憶された画像は、付加情報を書き込むための領域を有しており、前記記憶制御手段は、前記編集元画像の一覧表示用画像を前記編集済み画像の付加情報として書き込むことを特徴とする。
【００２２】
請求項６に係る発明によれば、上記表示制御手段は、編集済み画像を読み込むだけで、編集元画像の一覧表示用画像を取得して表示手段に表示することができる。
【００２３】
請求項７に係る画像表示装置は、画像を記憶する記憶手段と、前記画像を編集する画像編集手段と、前記画像編集手段により編集された編集済み画像と、前記編集済み画像が前記画像編集手段により編集される前の編集元画像とを関連付けて前記記憶手段に記憶する記憶制御手段と、前記記憶手段に記憶された画像を一覧表示する表示手段と、ユーザからの操作入力を受け付けて前記表示手段に一覧表示された一覧表示用画像を選択する選択手段と、前記選択手段により選択された一覧表示用画像が編集済み画像かどうかを判定する判定手段と、前記選択手段により選択された一覧表示用画像が編集済み画像と判定された場合に、前記編集済み画像と編集元画像とを比較表示する比較表示画面を前記表示手段に表示する一方、前記選択手段により選択された一覧表示用画像が編集済み画像でないと判定された場合に、前記選択された一覧表示用画像に対応する画像を前記表示手段に拡大表示する表示制御手段とを備えることを特徴とする。
【００２４】
請求項７に係る発明によれば、編集済み画像が選択された場合に、編集済み画像と編集元画像が並べて表示されるので、編集元画像と編集済み画像との比較、参照が容易である。
【００２５】
請求項８に係る発明は、請求項１から７の画像表示装置において、前記記憶制御手段は、前記編集元画像を特定するための画像特定情報を前記編集済み画像と関連付けて記憶することを特徴とする。
【００２６】
請求項８に係る発明によれば、表示制御手段は、編集元画像の画像特定情報（例えば、ファイルパスや識別情報（ＩＤ））により、編集元画像の一覧表示用画像を取得することができる。
【００２７】
請求項９に係る発明は、請求項５又は８の画像表示装置において、前記表示制御手段は、前記比較表示画面に、前記編集済み画像と編集元画像を並べて表示することを特徴とする。また、請求項１０に係る発明は、請求項５又は８の画像表示装置において、前記表示制御手段は、前記比較表示画面に、前記編集済み画像と編集元画像の異なる部分を切り取ってつなぎ合わせて表示することを特徴とする。
【００２８】
請求項１１に係る画像表示方法は、画像を記憶手段に記憶する記憶工程と、前記画像を編集する画像編集工程と、前記編集された編集済み画像を前記記憶手段に記憶するときに、編集される前の編集元画像の一覧表示用画像を前記編集済み画像と関連付けて前記記憶手段に記憶する記憶制御工程と、前記記憶手段に記憶された画像を表示手段に一覧表示する表示工程と、前記記憶手段に記憶された編集済み画像を一覧表示するときに、前記一覧表示用画像を表示するための表示領域を画像ごとに前記表示工程に表示して該表示領域に一覧表示用画像を表示する工程であって、前記編集済み画像の表示領域には、該編集済み画像の一覧表示用画像とともに、前記編集元画像の一覧表示用画像を表示する表示制御工程とを備えることを特徴とする。
【００２９】
請求項１２に係る発明は、請求項１１の画像表示方法において、前記記憶手段に記憶された編集済み画像を一覧表示するときに、前記編集元画像の一覧表示用画像を前記編集済み画像の一覧表示用画像と並べて又は重ねて表示する工程を更に備えることを特徴とする。
【００３０】
請求項１３に係る発明は、請求項１１又は１２の画像表示方法において、ユーザからの操作入力を受け付けて所望の表示領域を選択する選択工程と、前記表示領域に表示された編集済み画像の一覧表示用画像が選択された場合に、前記編集済み画像を拡大表示又は編集するための画面を前記表示工程に表示する工程と、前記表示領域に表示された編集元画像の一覧表示用画像が選択された場合に、前記編集済み画像を拡大表示又は編集するための画面を表示する工程とを備えることを特徴とする。
【００３１】
請求項１４に係る画像表示方法は、画像を記憶手段に記憶する記憶工程と、前記画像を編集する画像編集工程と、前記編集された編集済み画像を前記記憶手段に記憶するときに、編集される前の編集元画像の一覧表示用画像を前記編集済み画像と関連付けて前記記憶手段に記憶する記憶制御工程と、前記記憶手段に記憶された画像を表示手段に一覧表示する表示工程と、前記記憶手段に記憶された編集済み画像を一覧表示するときに、前記編集元画像と前記編集済み画像の一覧表示用画像を所定時間おきに切り替えて表示する表示制御工程とを備えることを特徴とする。
【００３２】
請求項１５に係る発明は、請求項１４の画像表示方法において、ユーザからの操作入力を受け付けて前記表示工程に一覧表示された一覧表示用画像を選択する選択工程と、前記編集済み画像が選択された場合に、前記編集済み画像と編集元画像とを比較表示する比較表示画面を前記表示工程に表示する工程と、前記編集元画像が選択された場合に、前記編集元画像を編集するための編集画面を前記表示工程に表示する工程とを備えることを特徴とする。
【００３３】
請求項１６に係る画像表示方法は、画像を記憶手段に記憶する記憶工程と、前記画像を編集する画像編集工程と、前記編集された編集済み画像と、前記編集済み画像が編集される前の編集元画像とを関連付けて前記記憶手段に記憶する記憶制御工程と、前記記憶手段に記憶された画像を表示手段に一覧表示する表示工程と、ユーザからの操作入力を受け付けて前記表示工程に一覧表示された一覧表示用画像を選択する選択工程と、前記選択された一覧表示用画像が編集済み画像かどうかを判定する判定工程と、前記選択された一覧表示用画像が編集済み画像と判定された場合に、前記編集済み画像と編集元画像とを比較表示する比較表示画面を前記表示工程に表示する一方、前記選択された一覧表示用画像が編集済み画像でないと判定された場合に、前記選択された一覧表示用画像に対応する画像を前記表示工程に拡大表示する表示制御工程とを備えることを特徴とする。
【００３４】
請求項１７に係る画像表示プログラムは、画像を記憶手段に記憶する記憶機能と、前記画像を編集する画像編集機能と、前記編集された編集済み画像を前記記憶手段に記憶するときに、編集される前の編集元画像の一覧表示用画像を前記編集済み画像と関連付けて前記記憶手段に記憶する記憶制御機能と、前記記憶手段に記憶された画像を表示手段に一覧表示する表示機能と、前記記憶手段に記憶された編集済み画像を一覧表示するときに、前記一覧表示用画像を表示するための表示領域を画像ごとに前記表示機能に表示して該表示領域に一覧表示用画像を表示する機能であって、前記編集済み画像の表示領域には、該編集済み画像の一覧表示用画像とともに、前記編集元画像の一覧表示用画像を表示する表示制御機能とをコンピュータに実現させることを特徴とする。
【００３５】
請求項１８に係る発明は、請求項１７の画像表示プログラムにおいて、前記記憶手段に記憶された編集済み画像を一覧表示するときに、前記編集元画像の一覧表示用画像を前記編集済み画像の一覧表示用画像と並べて又は重ねて表示する機能をコンピュータに実現させることを特徴とする。
【００３６】
請求項１９に係る発明は、請求項１７又は１８の画像表示プログラムにおいて、ユーザからの操作入力を受け付けて所望の表示領域を選択する選択機能と、前記表示領域に表示された編集済み画像の一覧表示用画像が選択された場合に、前記編集済み画像を拡大表示又は編集するための画面を前記表示機能に表示する機能と、前記表示領域に表示された編集元画像の一覧表示用画像が選択された場合に、前記編集済み画像を拡大表示又は編集するための画面を表示する機能とをコンピュータに実現させることを特徴とする。
【００３７】
請求項２０に係る画像表示プログラムは、画像を記憶手段に記憶する記憶機能と、前記画像を編集する画像編集機能と、前記編集された編集済み画像を前記記憶手段に記憶するときに、編集される前の編集元画像の一覧表示用画像を前記編集済み画像と関連付けて前記記憶手段に記憶する記憶制御機能と、前記記憶手段に記憶された画像を表示手段に一覧表示する表示機能と、前記記憶手段に記憶された編集済み画像を一覧表示するときに、前記編集元画像と前記編集済み画像の一覧表示用画像を所定時間おきに切り替えて表示する表示制御機能とをコンピュータに実現させることを特徴とする。
【００３８】
請求項２１に係る発明は、請求項２０の画像表示プログラムにおいて、ユーザからの操作入力を受け付けて前記表示機能に一覧表示された一覧表示用画像を選択する選択機能と、前記編集済み画像が選択された場合に、前記編集済み画像と編集元画像とを比較表示する比較表示画面を前記表示機能に表示する機能と、前記編集元画像が選択された場合に、前記編集元画像を編集するための編集画面を前記表示機能に表示する機能とをコンピュータに実現させることを特徴とする。
【００３９】
請求項２２に係る画像表示プログラムは、画像を記憶手段に記憶する記憶機能と、前記画像を編集する画像編集機能と、前記編集された編集済み画像と、前記編集済み画像が編集される前の編集元画像とを関連付けて前記記憶手段に記憶する記憶制御機能と、前記記憶手段に記憶された画像を表示手段に一覧表示する表示機能と、ユーザからの操作入力を受け付けて前記表示機能に一覧表示された一覧表示用画像を選択する選択機能と、前記選択された一覧表示用画像が編集済み画像かどうかを判定する判定機能と、前記選択された一覧表示用画像が編集済み画像と判定された場合に、前記編集済み画像と編集元画像とを比較表示する比較表示画面を前記表示機能に表示する一方、前記選択された一覧表示用画像が編集済み画像でないと判定された場合に、前記選択された一覧表示用画像に対応する画像を前記表示機能に拡大表示する表示制御機能とをコンピュータに実現させることを特徴とする。
【発明の効果】
【００４０】
本発明によれば、画像の一覧表示画面において、撮影されたままの状態の画像と編集済み画像とを識別したり、編集元画像と編集済み画像との対応関係を容易に判断することができる。
【発明を実施するための最良の形態】
【００４１】
以下、添付図面に従って本発明に係る画像表示装置、画像表示方法及び画像表示プログラムの好ましい実施の形態について説明する。
【００４２】
［画像表示装置の構成］
図１は、本発明の一実施形態に係る画像表示装置を示すブロック図である。画像表示装置１０は、例えば、パーソナルコンピュータ（ＰＣ）等から構成されており、画像の記憶、編集、プリント注文等を行うための装置である。
【００４３】
図１に示すように、プロセッサ（ＣＰＵ）１２は、バス１４を介して画像表示装置１０内の各ブロックに接続されており、各ブロックの動作を制御する。ＲＯＭ１６は、制御プログラムが格納される記憶領域を含んでおり、ＲＡＭ１８は、プログラム実行時の作業領域を含んでいる。
【００４４】
ハードディスク装置（ＨＤＤ）２０には、画像表示装置１０のオペレーティングシステム（ＯＳ）や、本発明に係る画像表示プログラム、各種のアプリケーションソフト、画像ファイル等が格納される。
【００４５】
グラフィック制御回路２２は、ＣＰＵ１２から入力される画像信号等を表示用の信号形式に変換して表示装置２４に出力する。表示装置２４は、例えば、ＣＲＴ（Cathode Ray Tube）モニタや液晶モニタであり、グラフィック制御回路２２から出力される信号に基づいて画像や文字等を表示する。
【００４６】
マウス２６及びキーボード２８は、ユーザからの操作入力を受け付ける操作部材であり、操作入力に応じた信号をＣＰＵ１２に入力する。なお、ポインティングデバイスとしては、マウス２６のほか、タッチパネルやタッチパッド等を用いることができる。
【００４７】
フレキシブルディスクドライブ（ＦＤＤ）３０は、フレキシブルディスク３２との間でデータの読み込みや書き込みを行う。メディアインターフェース部（メディアＩ／Ｆ）３４は、記録メディア３６との間でデータの送受信を行う。なお、記録メディア３６の形式は、例えば、xD-PictureCard（商標）やスマートメディア（商標）に代表される半導体メモリカード、可搬型小型ハードディスク、磁気ディスク、光ディスク、光磁気ディスク等、種々の媒体を用いることができる。ＵＳＢインターフェース部（ＵＳＢ＿Ｉ／Ｆ）３８は、撮像装置（電子カメラ、デジタルカメラ）４０やプリンタ４２との間でデータの送受信を行う。フレキシブルディスク３２や記録メディア３６、撮像装置４０等から読み込まれた画像等のデータは、ＨＤＤ２０に保存可能である。なお、撮像装置４０やプリンタ４２との接続手段としては、ＵＳＢのほか、IEEE1394、有線ＬＡＮ、赤外線通信（IrDA）、Bluetooth（登録商標）等を用いることができる。
【００４８】
通信インターフェース部（通信Ｉ／Ｆ）４４は、ネットワークＮＷとの間で通信を行う。
【００４９】
［一覧表示画面の構成］
ＨＤＤ２０等から読み込まれた画像は、マウス２６やキーボード２８からの操作入力に応じて表示装置２４に一覧表示される。図２は、本発明の第１の実施形態に係る一覧表示画面を示す図である。一覧表示画面１００は、画像を検索する際のＧＵＩ（Graphical User Interface）として用いられるものであり、ＨＤＤ２０内で選択されたフォルダ等から読み込まれた画像の一覧表示用画像（サムネイル画像）が表示される。
【００５０】
図２に示すように、一覧表示画面１００には、サムネイル画像を表示すべき位置に対応してサムネイル台座１０２が描画される。サムネイル画像は、サムネイル台座１０２の上に表示される。なお、図２において、図中の符号１０４は、一覧表示画面１００において、マウス２６により選択されたサムネイル台座１０２に付される選択枠である。また、サムネイル台座１０２が一覧表示画面１００に収まらない場合等には、必要に応じて一覧表示画面１００にスクロールバーやページ送り／戻しボタン等の操作部材が表示される。
【００５１】
図２に示す例では、サムネイル画像は１０枚表示されている。このうち、撮影されたままで編集されていない画像は、「DSCF0001.JPG」、「DSCF0003.JPG」、「DSCF0007.JPG」、「DSCF0008.JPG」、「DSCF0009.JPG」及び「DSCF0012.JPG」の６枚であり、撮影された画像を編集した編集済み画像は、「DSCF0101.JPG」から「DSCF0104.JPG」の４枚である。
【００５２】
図２に示すように、撮影されたままで編集されていない画像については、サムネイル台座１０２上に、当該画像のサムネイル画像Ｔ１０が表示される。サムネイル画像Ｔ１０は、サムネイル台座１０２に収まる略最大のサイズで表示されている。
【００５３】
一方、編集済み画像「DSCF0101.JPG」から「DSCF0104.JPG」については、サムネイル台座１０２上に、各編集済み画像のサムネイル画像（編集済みサムネイル）Ｔ２０とともに、それぞれを編集する前の画像（編集元画像）のサムネイル画像（編集元サムネイル）Ｔ２２が表示される。図２に示す例では、編集済みサムネイルＴ２０は、サムネイル台座１０２よりも小さいサイズで表示されており、編集元サムネイルＴ２２は、編集済みサムネイルＴ２０の右上に編集済みサムネイルＴ２０より小さいサイズで並べて表示される。図２において、編集済みサムネイル画像Ｔ２０に付された編集元サムネイル画像Ｔ２２から、編集済み画像「DSCF0101.JPG」の編集元画像が「DSCF0008.JPG」であり、編集済み画像「DSCF0102.JPG」の編集元画像が「DSCF0001.JPG」であり、編集済み画像「DSCF0103.JPG」の編集元画像が「DSCF0008.JPG」であり、編集済み画像「DSCF0104.JPG」の編集元画像が「DSCF0007.JPG」であることが確認できる。
【００５４】
なお、図２に示す例では、サムネイル台座１０２上に、編集済みサムネイルＴ２０と編集元サムネイルＴ２２を並べて表示するようにしたが、サムネイル台座１０２上における両者の配置やサイズはこれに限定されるものではない。例えば、編集済みサムネイルＴ２０をサムネイル台座１０２と略同じ大きさにして、編集元サムネイルＴ２２を編集済みサムネイルＴ２０と重ねて表示するようにしてもよい。また、編集済みサムネイルＴ２０又は編集元サムネイルＴ２２に枠やアイコン等を付すことにより、どちらが編集元サムネイルＴ２２かを識別可能にしてもよい。また、編集済みサムネイルＴ２０と編集元サムネイルＴ２２を略同じ大きさで表示してもよい。
【００５５】
なお、図２に示す例では、編集元サムネイルＴ２２は、１つの編集済みサムネイルＴ２０に１つ付されているが、複数回編集された画像には、編集元サムネイルＴ２２を複数付すようにしてもよい。
【００５６】
図３は、編集済み画像のデータ構造を模式的に示す図である。図３に示すように、編集済み画像「DSCF0101.JPG」は、ヘッダ情報と画像データ本体とから構成されている。ヘッダ情報は、例えば、EXIF（Exchangeable Image File Format）タグにより構成される。ヘッダ情報は、画像データに関する画像情報のほか、編集済み画像「DSCF0101.JPG」自身のサムネイル画像（編集済みサムネイルＴ２０）及び編集元画像「DSCF0008.JPG」のサムネイル画像（編集元サムネイルＴ２２）を含んでいる。ここで、画像情報とは、例えば、撮影時のフォーカスや絞り値、シャッタスピードに関する情報である。
【００５７】
画像を一覧表示する際には、ＣＰＵ１２は、ヘッダ情報を参照して、編集元サムネイルＴ２２の有無により、当該画像が編集済み画像かどうかを判断する。そして、当該画像が編集済み画像の場合には、ＣＰＵ１２は、ヘッダ情報から編集元サムネイルＴ２２取得して、編集済みサムネイルＴ２０とともにサムネイル台座１０２に表示する。
【００５８】
［画像の編集処理］
次に、本実施形態の画像の編集処理の手順について、図４のフローチャートを参照して説明する。まず、ＣＰＵ１２は、マウス２６等からの操作入力に応じて、ＨＤＤ２０から、編集すべき画像を選択して（ステップＳ１０）、編集する（ステップＳ１２）。ステップＳ１２では、マウス２６等からの操作入力に応じて、ＣＰＵ１２は、例えば、画像のコントラストや明るさ、色合い等の補正、赤目補正、画像への文字の書き込み、画像とフレームやテンプレート等との合成等の処理を行う。
【００５９】
次に、ステップＳ１２において編集された画像を編集前の編集元画像とは別の画像ファイルとして保存するための操作を受け付けると、ＣＰＵ１２は、編集済み画像の画像ファイルを作成する（ステップＳ１４）。そして、ＣＰＵ１２は、編集済み画像の画像ファイルのヘッダ情報（例えば、EXIFタグ情報）に編集元サムネイルを埋め込んで（ステップＳ１６）、当該画像ファイルをＨＤＤ２０に保存する（ステップＳ１８）。これにより、編集済み画像が、編集元画像のサムネイル画像と関連付けられてＨＤＤ２０に保存される。
【００６０】
［画像の一覧表示処理］
次に、画像の一覧表示を行う際のＣＰＵ１２における処理の流れについて、図５のフローチャートを参照して説明する。まず、ＣＰＵ１２は、マウス２６等からの操作入力に応じて、ＨＤＤ２０内のフォルダを選択し、選択したフォルダ内の画像の数（表示画像数）Ｎを取得する（ステップＳ２０）。また、画像の数のカウント値Ｋをリセットしてゼロにする（ステップＳ２０）。
【００６１】
次に、Ｋ＜Ｎの場合に（ステップＳ２２のＹｅｓ）、ＣＰＵ１２は、一覧表示画面１００にサムネイル台座１０２を１つ表示するとともに、このサムネイル台座１０２上に、Ｋ番目の画像（画像Ｋ）に対応するサムネイル画像（Ｔ１０、Ｔ２０）を表示する（ステップＳ２４）。また、ＣＰＵ１２は、画像Ｋのヘッダ情報を参照して、画像Ｋが編集済みかどうかを判断する（ステップＳ２６）。画像Ｋが編集済みの場合には（ステップＳ２６のＹｅｓ）、ＣＰＵ１２は、画像Ｋのヘッダ情報から編集元サムネイルＴ２２を取得して、編集済みサムネイルＴ２０と編集元サムネイルＴ２２とをサムネイル台座１０２上に並べて表示して（ステップＳ２８）、ステップＳ３０に進む。一方、画像Ｋが編集済みではない場合には（ステップＳ２６のＮｏ）、そのままステップＳ３０に進む。
【００６２】
次に、画像のカウント値Ｋに１を加算して（ステップＳ３０）、ステップＳ２２に戻る。そして、ステップＳ２２からＳ３０の処理を繰り返して、カウント値Ｋ＝Ｎとなると（ステップＳ２２のＮｏ）、フォルダ内の全ての画像の一覧表示処理が終了する。
【００６３】
本実施形態によれば、編集済みサムネイルＴ２０とともに、編集元サムネイルＴ２２が一覧表示されるので、画像の一覧表示画面において、撮影されたままの状態の画像と編集済み画像とを識別したり、編集元画像と編集済み画像との対応関係を容易に判断することができる。
【００６４】
なお、本実施形態では、編集済み画像のヘッダ情報に編集元サムネイルＴ２２を直接埋め込むようにしたが、例えば、図６に示すように、編集元画像の格納場所を示すファイルパスや、編集元画像を特定するための識別情報、ＩＤを編集済み画像のヘッダ情報として記録するようにしてもよい。また、編集元画像と編集済み画像との対応関係を、各画像ファイルとは別の管理ファイルに記録しておき、画像の一覧表示を行う際には、この管理ファイルを参照することにより、編集済みサムネイルＴ２０に編集元サムネイルＴ２２を付すようにしてもよい。
【００６５】
［一覧表示画面１００における画像の選択処理］
図７及び図８は、画像の選択方法を示す図である。図７に示すように、サムネイル台座１０２上の編集済みサムネイルＴ２０にマウスカーソルＣ１０が重ねられて選択操作（クリック又はダブルクリック）されると、編集済みサムネイルＴ２０に対応する編集済み画像Ｐ２０が編集画面により開かれて編集可能になる。
【００６６】
一方、図８に示すように、編集元サムネイルＴ２２にマウスカーソルＣ１０が重ねられて選択操作（クリック又はダブルクリック）されると、編集元サムネイルＴ２２に対応する編集元画像Ｐ２２が編集画面により開かれて編集可能になる。
【００６７】
図９は、サムネイル台座１０２が選択された場合の処理を示すフローチャートである。まず、一覧表示画面において、ＣＰＵ１２は、マウス２６による選択操作（クリック又はダブルクリック）を検知すると（ステップＳ４０のＹｅｓ）、選択時におけるマウスカーソルＣ１０の位置の座標を取得して、編集済みサムネイルＴ２０と編集元サムネイルＴ２２のどちらが選択されたかを判断する（ステップＳ４２）。
【００６８】
図７に示すように、選択時にマウスカーソルＣ１０が編集済みサムネイルＴ２０上にあった場合には（ステップＳ４２のＹｅｓ）、ＣＰＵ１２は、選択された編集済みサムネイルＴ２０に対応する編集済み画像Ｐ２０を編集対象として選択する（ステップＳ４４）。そして、ＣＰＵ１２は、画像編集用のアプリケーションを起動し、画像編集用アプリケーションの画像編集画面に編集済み画像を表示する（ステップＳ４６）。
【００６９】
一方、図８に示すように、選択時にマウスカーソルＣ１０が編集元サムネイルＴ２２上にあった場合には（ステップＳ４２のＮｏ）、ＣＰＵ１２は、選択された編集元サムネイルＴ２２に対応する編集元画像Ｐ２２を編集対象として選択して（ステップＳ４８）、画像編集用のアプリケーションを起動し、画像編集用アプリケーションの画像編集画面に編集元画像を表示する（ステップＳ４６）。
【００７０】
本実施形態によれば、編集済みサムネイルＴ２０とともに表示された編集元サムネイルＴ２２を用いて、編集元画像Ｐ２２を読み込んで拡大表示又は編集することができる。従って、ユーザが、編集済み画像Ｐ２０を見た上で、編集元画像Ｐ２２を容易に拡大表示又は編集することができる。
【００７１】
［一覧表示画面の第２の実施形態］
次に、一覧表示画面の第２の実施形態について、図１０及び図１１を参照して説明する。図１０は、一覧表示画面１５０において編集済み画像が選択された状態を示しており、図１１は、編集元画像が選択された状態を示している。図１０に示すように、本実施形態の一覧表示画面１５０は、主画像表示エリア１５２及びサムネイル表示エリア１５４を備える。なお、図中の符号１５６は、サムネイル表示エリア１５４に表示されたサムネイル画像をスクロールするためのスクロールバーである。
【００７２】
サムネイル表示エリア１５４には、サムネイル画像を表示すべき位置に対応してサムネイル台座１０２が描画される。サムネイル画像は、サムネイル台座１０２の上に表示される。上記第１の実施形態と同様に、撮影されたままで編集されていない画像の一覧表示では、サムネイル台座１０２上に、当該画像のサムネイル画像Ｔ１０が表示され、編集済み画像の一覧表示では、サムネイル台座１０２上に、編集済みサムネイルＴ２０とともに、編集元サムネイルＴ２２が表示される。
【００７３】
主画像表示エリア１５２には、サムネイル表示エリア１５４において選択された画像の主画像（画像データ本体）が表示される。画像の選択は、サムネイル表示エリア１５４に表示されたサムネイル台座１０２をマウス２６を用いて選択操作（クリック、ダブルクリック）することにより行われる。選択された画像が編集済み画像の場合には、主画像表示エリア１５２が左右２つの表示エリアに分割される。そして、選択されたサムネイル台座１０２に表示された編集済みサムネイルＴ２０及び編集元サムネイルＴ２２に対応する編集済み画像Ｐ２０及び編集元画像Ｐ２２がＨＤＤ２０から読み出されて、編集済み画像Ｐ２０及び編集元画像Ｐ２２がそれぞれ左右の表示エリア１５２Ａ及び１５２Ｂに表示される。例えば、図１０に示すように、編集済み画像「DSCF0101.JPG」が選択された場合には、左側の表示エリア１５２Ａには編集済み画像「DSCF0101.JPG」が表示され、右側の表示エリア１５２Ｂには編集元画像「DSCF0008.JPG」が表示される。なお、複数回編集された画像については、右側の表示エリア１５２Ｂを分割して編集元画像を複数表示するようにしてもよい。
【００７４】
一方、選択された画像が編集されていない画像の場合には、図１１に示すように、主画像表示エリア１５２は分割されず、選択されたサムネイル画像Ｔ１０に対応する画像Ｐ１０が拡大表示される。なお、選択された画像が編集されていない画像であっても、当該画像を編集した編集済み画像がある場合には、主画像表示エリア１５２に編集済み画像を並べて表示又は縮小表示するようにしてもよい。
【００７５】
なお、選択された画像が編集済み画像の場合には、図１２に示すように、編集済み画像Ｐ２０の左半分と編集元画像Ｐ２２の右半分、又は編集元画像Ｐ２２の左半分と編集済み画像Ｐ２０の右半分を並べて表示するようにしてもよい。
【００７６】
次に、画像の一覧表示処理の第２の実施形態について、図１３のフローチャートを参照して説明する。まず、ＣＰＵ１２は、マウス２６等からの操作入力に応じて、ＨＤＤ２０内のフォルダを選択し、選択したフォルダ内の画像を一覧表示する。そして、サムネイル台座１０２が選択されて画像が選択されると（ステップＳ５０のＹｅｓ）、ＣＰＵ１２は、選択された画像のヘッダ情報を取得して、当該画像が編集済みであるかを判断する（ステップＳ５２）。ステップＳ５２では、ＣＰＵ１２は、例えば、選択された画像のヘッダ情報を取得して、ヘッダ情報に編集元サムネイル画像又は編集元画像の特定情報が含まれているかどうかにより、選択画像が編集済みかどうかを判断する。
【００７７】
選択された画像が編集済み画像の場合には（ステップＳ５２のＹｅｓ）、ＣＰＵ１２は、主画像表示エリア１５２に２つの表示エリア１５２Ａ及び１５２Ｂを作成して（ステップＳ５４）、編集済み画像Ｐ２０と編集元画像Ｐ２２を各表示エリアに表示する（ステップＳ５６）。一方、選択された画像が編集済み画像ではない場合には（ステップＳ５２のＮｏ）、ＣＰＵ１２は、主画像表示エリア１５２に１つの表示エリアを作成して（ステップＳ５８）、選択された画像Ｐ１０を当該表示エリアに表示する（ステップＳ６０）。
【００７８】
本実施形態によれば、編集済みサムネイルが選択された場合に、編集済み画像と編集元画像が並べて表示されるので、編集元画像と編集済み画像との比較、参照が容易である。
【００７９】
［一覧表示画面の第３の実施形態］
図１４は、本発明の第３の実施形態に係る画像の一覧表示画面を示す図である。図１４に示すように、一覧表示画面２００には、サムネイル画像を表示すべき位置に対応してサムネイル台座２０２が描画される。サムネイル画像（未編集サムネイルＴ３０、編集済みサムネイルＴ４０）は、サムネイル台座２０２の上に表示される。なお、図１４において、図中の符号２０４は、一覧表示画面２００において、マウス２６により選択されたサムネイル台座２０２に付される選択枠である。
【００８０】
図１４に示すように、一覧表示画面２００には、サムネイル画像は１０枚表示されており、このうち、撮影されたままで編集されていない画像は、「DSCF0001.JPG」、「DSCF0003.JPG」、「DSCF0007.JPG」、「DSCF0008.JPG」、「DSCF0009.JPG」及び「DSCF0012.JPG」の６枚であり、撮影された画像を編集した編集済み画像は、「DSCF0101.JPG」から「DSCF0104.JPG」の４枚である。
【００８１】
図１４に示すように、一覧表示画面２００では、編集済みサムネイルＴ４０は、その編集元の画像のサムネイルＴ４２と所定時間ThTime（例えば、１秒から数秒）ごとに表示が切り替わるようになっている。なお、この所定時間ThTimeは、ユーザにより任意に設定可能である。図１４（ａ）に示す一覧表示画面２００では、編集済み画像「DSCF0101.JPG」から「DSCF0104.JPG」のサムネイル台座２０２には、それぞれの編集元画像のサムネイルが表示されている。即ち、編集済み画像「DSCF0101.JPG」のサムネイル台座２０２には、編集元画像「DSCF0008.JPG」、編集済み画像「DSCF0102.JPG」のサムネイル台座２０２には、編集元画像「DSCF0001.JPG」、編集済み画像「DSCF0103.JPG」のサムネイル台座２０２には、編集元画像「DSCF0008.JPG」、編集済み画像「DSCF0104.JPG」のサムネイル台座２０２には、編集元画像「DSCF0007.JPG」のサムネイル画像がそれぞれ表示されている。一方、図１４（ｂ）に示す一覧表示画面２００では、編集済み画像「DSCF0101.JPG」から「DSCF0104.JPG」のサムネイル台座２０２には、各編集済み画像のサムネイル画像が表示されている。
【００８２】
編集済みサムネイルＴ４０がマウス２６により選択されると、ＣＰＵ１２は、画像編集用のアプリケーションを起動し、画像編集用アプリケーションの画像編集画面に編集済み画像を表示する。一方、編集元サムネイルＴ４２がマウス２６により選択されると、ＣＰＵ１２は、図１０に示す一覧表示画面１５０を表示させて、主画像表示エリア１５２に編集済み画像と編集元画像を並べて表示する。
【００８３】
［画像の一覧表示処理の第３の実施形態］
次に、画像の一覧表示処理の第３の実施形態について、図１５のフローチャートを参照して説明する。まず、ＣＰＵ１２は、マウス２６等からの操作入力に応じて、ＨＤＤ２０内のフォルダを選択し、選択したフォルダ内の画像の数（表示画像数）Ｎを取得して、フラグ（Flag）をＯＦＦにする（ステップＳ７０）。また、ＣＰＵ１２は、カウント時間Ｔをリセットしてゼロにするとともに（ステップＳ７０）、内蔵のカウンタにより時間のカウントを開始する。
【００８４】
次に、一覧表示画面２００の表示が継続されると（ステップＳ７２のＹｅｓ）、画像の数のカウント値（カウント画像数）Ｋをリセットしてゼロにして（ステップＳ７４）、カウント時間Ｔに経過時間を加算する（ステップＳ７６）。カウント時間Ｔが所定値ThTimeより大きい場合には（ステップＳ７８のＹｅｓ）、カウント時間をリセットしてゼロにするとともに、フラグのＯＮ／ＯＦＦを切り替えてステップＳ８２に進む。一方、カウント時間Ｔが所定値ThTime以下の場合には（ステップＳ７８のＮｏ）、そのままステップＳ８２に進む。
【００８５】
次に、Ｋ＜Ｎの場合に（ステップＳ８２のＹｅｓ）、ＣＰＵ１２は、一覧表示画面１００にサムネイル台座２０２を１つ表示するとともに（ステップＳ８４）、Ｋ番目の画像が（画像Ｋ）のヘッダ情報を参照して、画像Ｋが編集済み画像かどうかを判断する（ステップＳ８６）。画像Ｋが編集済み画像でない場合には（ステップＳ８６のＮｏ）、ＣＰＵ１２は、画像Ｋのサムネイル画像を取得してサムネイル台座２０２に表示させる（ステップＳ８８）。一方、画像Ｋが編集済み画像の場合には（ステップＳ８６のＹｅｓ）、ＣＰＵ１２は、フラグを取得して、フラグのＯＮ／ＯＦＦを判断する（ステップＳ９０）。
【００８６】
フラグがＯＮの場合には（ステップＳ９０のＹｅｓ）、ＣＰＵ１２は、画像Ｋのヘッダ情報から編集元サムネイルＴ２２を取得してサムネイル台座２０２に表示させ（ステップＳ９２）、ステップＳ９４に進む。一方、フラグがＯＦＦの場合には（ステップＳ９０のＮｏ）、ＣＰＵ１２は、画像Ｋのサムネイル画像を取得してサムネイル台座２０２に表示させ（ステップＳ８８）、ステップＳ９４に進む。
【００８７】
次に、カウント画像数Ｋに１を加算して（ステップＳ９４）、ステップＳ８２に戻る。そして、ステップＳ８２からＳ９４の処理を繰り返して、カウント値Ｋ＝Ｎとなると（ステップＳ８２のＮｏ）、フォルダ内の全ての画像の一覧表示処理が終了して、ステップＳ７２に戻る。即ち、上記ステップＳ７２からＳ９４の処理を繰り返すと、所定時間ThTimeごとに、フラグのＯＮ／ＯＦＦが切り替わり、編集元サムネイルＴ４２と編集済みサムネイルＴ４０の表示が切り替わる。
【００８８】
本実施形態によれば、編集済みサムネイルＴ４０と編集元サムネイルＴ４２が交互に切り替わるので、画像の一覧表示画面において、撮影されたままの状態の画像と編集済み画像とを識別したり、編集元画像と編集済み画像との対応関係を容易に判断することができる。
【００８９】
なお、上記のフローチャートに示したような処理を行うアプリケーション・ソフトウェアやファームウェアを、パーソナルコンピュータ（ＰＣ）のほか、ビデオ再生装置（ビデオデッキ、テレビ）や撮影装置（電子カメラ）、プリンタ、携帯情報端末（ＰＤＡ）、携帯フォトプレーヤー、携帯電話等の画像再生機能を有する装置に適用することにより、本発明の画像表示装置を実現することができる。
【図面の簡単な説明】
【００９０】
【図１】本発明の一実施形態に係る画像表示装置を示すブロック図
【図２】本発明の第１の実施形態に係る一覧表示画面を示す図
【図３】編集済み画像のデータ構造を模式的に示す図
【図４】画像の編集処理の手順を示すフローチャート
【図５】画像の一覧表示処理の第１の実施形態を示すフローチャート
【図６】編集済み画像のデータ構造を模式的に示す図
【図７】サムネイル画像の選択方法を示す図
【図８】サムネイル画像の選択方法を示す図
【図９】サムネイル台座１０２が選択された場合の処理を示すフローチャート
【図１０】本発明の第２の実施形態に係る一覧表示画面において編集済み画像が選択された状態を示す図
【図１１】本発明の第２の実施形態に係る一覧表示画面において編集元画像が選択された状態を示す図
【図１２】本発明の第２の実施形態に係る一覧表示画面において編集済み画像が選択された状態の別の実施例を示す図
【図１３】画像の一覧表示処理の第２の実施形態を示すフローチャート
【図１４】本発明の第３の実施形態に係る一覧表示画面を示す図
【図１５】画像の一覧表示処理の第３の実施形態を示すフローチャート
【符号の説明】
【００９１】
１０…画像表示装置、１２…プロセッサ（ＣＰＵ）、１４…バス、１６…ＲＯＭ、１８…ＲＡＭ、２０…ハードディスク装置（ＨＤＤ）、２２…グラフィック制御回路、２４…表示装置、２６…マウス、２８…キーボード、３０…フレキシブルディスクドライブ（ＦＤＤ）、３２…フレキシブルディスク、３４…メディアインターフェース部（メディアＩ／Ｆ）、３６…記録メディア、３８…ＵＳＢインターフェース部（ＵＳＢ＿Ｉ／Ｆ）、４０…撮像装置、４２…プリンタ、４４…通信インターフェース部（通信Ｉ／Ｆ）、１００…一覧表示画面、１０２…サムネイル台座、１０４…選択枠
【図１】
2007325008.tif 000003
【図２】
2007325008.tif 000004
【図３】
2007325008.tif 000005
【図４】
2007325008.tif 000006
【図５】
2007325008.tif 000007
【図６】
2007325008.tif 000008
【図７】
2007325008.tif 000009
【図８】
2007325008.tif 000010
【図９】
2007325008.tif 000011
【図１０】
2007325008.tif 000012
【図１１】
2007325008.tif 000013
【図１２】
2007325008.tif 000014
【図１３】
2007325008.tif 000015
【図１４】
2007325008.tif 000016
【図１５】
2007325008.tif 000017